(57)【要約】【課題】車載用マッサージ装置に関するものであり、走行中であっても運転状況に応じた適切なマッサージを行うことが可能である。【解決手段】現在の運転状況を把握し管理する情報源１１と、運転状況を評価するための条件設定を行う条件設定部１２と、前記条件設定部により設定された条件に基づき前記情報源から必要なデータを取り出し前記条件と対比させることで運転状況を評価する運転状況評価部１３と、前記運転状況評価部から出力される評価結果を元にマッサージ可否あるいはマッサージ内容を判定する判定部１４とを有することにより、走行中であっても運転状況に応じた適切なマッサージを行うことが可能である。【選択図】図１
2006102036.tif 000002
【特許請求の範囲】
【請求項１】
運転者をマッサージする施療部と、運転者が施療条件や施療指示を入力する操作部とを有する車載用マッサージ装置において、現在の運転状況を把握し管理する情報源と、運転状況を評価するための条件設定を行う条件設定部と、前記条件設定部により設定された条件に基づき前記情報源から必要なデータを取り出し前記条件と対比させることで運転状況を評価する運転状況評価部と、前記運転状況評価部から出力される評価結果を元にマッサージ可否あるいはマッサージ内容を判定する判定部と、前記判定部から出力される判定結果と前記操作部から出力される操作内容とを元に施療部の動作を制御する制御部とを有する車載用マッサージ装置。
【請求項２】
前記情報源は、ナビゲーションシステムから出力される情報、車両状態を測定する車両センサから出力される情報、車載カメラにより撮影された車外環境を画像認識した情報、運転者の生理状態を測定する生体センサから出力される情報、交通状況を表わす情報のうちの少なくともいずれか１つ以上の情報である、請求項１に記載の車載用マッサージ装置。
【請求項３】
連続運転時間を計測する運転時間計測部をさらに有し、前記制御部は前記運転時間計測部から出力される計測結果も元にして施療部の動作を制御するように構成した、請求項１に記載の車載用マッサージ装置。
【発明の詳細な説明】
【技術分野】
【０００１】
本発明は、特に自動車を運転する運転者に対してマッサージを施す車載用マッサージ装置に関するものである。
【背景技術】
【０００２】
以前より、マッサージ装置は、オフィスや家庭など固定空間で疲労回復目的に利用するものが広く普及している。そして近年、移動空間である自動車内にも、特に高級車などで後部座席に設置されるものが普及しつつある。しかしながら、運転席に設置され、運転者の疲労回復に利用されるものは少ない。
【０００３】
従来の運転者に対する車載用マッサージ装置は、図６に示すように車両停止検出部５１、制御部５２、操作部５３、施療部５４から構成されている。
【０００４】
図６において、運転者は、操作部５３よりマッサージ開始もしくは終了などの所望の操作指示を入力する。その一方で、車両停止検出部５１は、キーの回動位置やシートのリクライニング傾斜角度などを検知し、車両が停止状態にあるか否かを判定する。例えば、キー回動位置がアクセサリーの位置にある場合、あるいはシートリクライニング傾斜角度が１４０度以上である場合に、車両が停止状態にあると判定する。制御部５２は、車両停止検出部５１が車両停止状態にあると判定した場合、あるいはシートリクライニング傾斜角度が運転走行不可能な角度にある場合に、操作部５３からのマッサージ操作指示に基づき、施療部５４のマッサージ動作を制御する。逆に車両停止検出部５１が車両停止状態ではないと判定した場合は、操作部５３からマッサージ開始指示があったとしても、施療部５４のマッサージ動作を開始するような制御は行わない。もしくは、車両停止してマッサージを受けている最中に車両停止状態ではなくなったと判定されると、操作部５３からのマッサージ停止指示が無くても、施療部５４のマッサージ動作を停止する。
【０００５】
このように、運転者がいくらマッサージ開始を指示しても、車両が停止していると判定されない限り、マッサージを受けることができなかった。（例えば、特許文献１、特許文献２、特許文献３参照）。
【特許文献１】特開昭６０−１８１６８号公報
【特許文献２】特開平９−３０３０４号公報
【特許文献３】実開平５−６３５４２号公報
【発明の開示】
【発明が解決しようとする課題】
【０００６】
上記の通り、従来の車載用マッサージ装置は、走行中にマッサージを行うと運転に支障を来すため、一旦車両停止しなければマッサージを受けることができず、本来疲労回復すべき長時間運転中などには使用できないという不便さがあった。
【０００７】
本発明は、このような従来の課題を解決するものであり、走行中であっても運転状況に応じた適切なマッサージを行うことができる利便性の高い車載用マッサージ装置を提供することを目的とする。
【課題を解決するための手段】
【０００８】
上記目的を達成するために本発明は、特に、現在の運転状況を把握し管理する情報源と、運転状況を評価するための条件設定を行う条件設定部と、前記条件設定部により設定された条件に基づき前記情報源から必要なデータを取り出し前記条件と対比させることで運転状況を評価する運転状況評価部と、前記運転状況評価部から出力される評価結果を元にマッサージ可否あるいはマッサージ内容を判定する判定部とを有することを特徴とする。
【０００９】
これにより、状況に応じてマッサージ可否あるいはマッサージ内容を判断でき、走行中であっても運転状況に応じた適切なマッサージを行うことができる。
【発明の効果】
【００１０】
以上のように本発明は、情報源から設定条件に応じて必要な情報を取り出し設定条件と対比することで運転状況を評価し、マッサージ可否あるいはマッサージ内容を判定する判定部を設けたので、走行中であっても運転状況に応じた適切なマッサージを行うことができるという効果を奏する。
【発明を実施するための最良の形態】
【００１１】
本発明においては、運転者をマッサージする施療部と、運転者が施療条件や施療指示を入力する操作部とを有する車載用マッサージ装置において、現在の運転状況を把握し管理する情報源と、運転状況を評価するための条件設定を行う条件設定部と、前記条件設定部により設定された条件に基づき前記情報源から必要なデータを取り出し前記条件と対比させることで運転状況を評価する運転状況評価部と、前記運転状況評価部から出力される評価結果を元にマッサージ可否あるいはマッサージ内容を判定する判定部と、前記判定部から出力される判定結果と前記操作部から出力される操作内容とを元に施療部の動作を制御する制御部とを有することを特徴とする。これにより、走行中であっても運転状況に応じた適切なマッサージを行うことが可能となる。
【００１２】
また、情報源は、ナビゲーションシステムから出力される情報、車両状態を測定する車両センサから出力される情報、車載カメラにより撮影された車外環境を画像認識した情報、運転者の生理状態を測定する生体センサから出力される情報、交通状況を表わす情報のうちの少なくともいずれか１つ以上の情報とすることができる。これにより、走行中であっても運転状況に応じた適切なマッサージを行うことができる。
【００１３】
また、連続運転時間を計測する運転時間計測部をさらに有し、前記制御部は、前記運転時間計測部から出力される計測結果も元にして施療部の動作を制御することを特徴とすることができる。これにより、さらに運転疲労度に適したマッサージを行うことができる。すなわち、真にマッサージの必要な長時間運転時のみ施療を行うようにすることができ、それ以外の、例えばすぐ近所に出かける時などの不要なマッサージを実施しないようすることができる。
（実施の形態１）
以下、本発明の実施の形態１における車載用マッサージ装置について、図面を参照しながら説明する。
【００１４】
図１は、本発明の実施の形態１における車載用マッサージ装置のシステム構成を表わすブロック図である。
【００１５】
図１において、車載用マッサージ装置１は、情報源１１と、条件設定部１２と、運転状況評価部１３と、判定部１４と、制御部１５と、操作部１６と、施療部１７とから構成されている。
【００１６】
情報源１１は、ナビゲーションシステムから出力される情報や、車両状態を測定する車両センサから出力される情報、車載カメラにより撮影された車外環境を画像認識した情報、運転者の生理状態を測定する生体センサから出力される情報、交通状況を表わす情報のうちの少なくともいずれか１つ以上の情報であって、現在の運転状況を把握し管理するものである。
【００１７】
条件設定部１２は、運転状況を評価する項目を設定し、現在の交通規制などに応じて、各評価項目毎に運転状況別の評価点を設定する。
【００１８】
図２は、条件設定部１２で設定される運転状況評価テーブルの一例である。
【００１９】
図２において、評価項目としては、車両データ（車速パルス、サイドブレーキ情報、速度、ウインカー情報、ヘッドライト情報、ギア情報、ブレーキ情報、アクセル情報）や、ナビデータ（道路形状、道路幅員、道路種別、車線数、通行規制、交差点ノード、踏切、料金所、走行履歴、案内経路右左折点、案内経路目的地）、画像認識情報（信号、人、車、標識）、交通情報（交通量、事故）が設定されている。また、それぞれの項目について、運転状況別の評価点が設定されている。例えば、「速度」の項目については、時速０ｋｍの場合０点、時速４０ｋｍ以下の場合１点、時速６０ｋｍ以下の場合２点、時速８０ｋｍ以下の場合４点、時速１００ｋｍ以下の場合１０点、時速１２０ｋｍ以下の場合２０点、時速１２０ｋｍ以上場合２５点がそれぞれ設定されている。
【００２０】
なお、図２はあくまで運転状況評価テーブルの一例であって、設定される評価項目や、各項目毎に設定される評価点などは、これに限定されるものではなく、現在の交通規制などに対して適切な設定であればよい。
【００２１】
運転状況評価部１３は、条件設定部１２で設定された評価項目に基づき情報源１１から必要な情報を取り出す。さらに、各項目毎に設定された運転状況別評価点と、情報源１１から取り出した情報を対比し、各項目毎に評価を行う。
【００２２】
具体的には、図２の例で、例えば、設定された評価項目「速度」に対して、情報源１１の車両データから現在の速度データを取り出す。現在の速度が時速７０ｋｍであった場合には、同項目の運転状況別評価点と対比し、時速８０ｋｍ以下に相当することから、評価点４点を得ることになる。
【００２３】
判定部１４は、運転状況評価部１３で評価された運転状況に応じて、現在マッサージ可能な運転状況か否か、あるいはマッサージ可能な場合は最適なマッサージ内容を判定する。
【００２４】
図３は、判定部１４でマッサージ可否あるいはマッサージ内容を判定する際に使用する判定テーブルの一例である。
【００２５】
図３において、合計評価点は、０点の場合、１点以上１９点以下の場合、２０点以上２９点以下の場合、３０点以上の場合の４区分に設定されており、それぞれの区分について、マッサージ可否あるいはマッサージ内容が決められている。例えば、運転状況評価部１３で評価された各項目の評価点の合計点が１０点であれば、１点以上１９点以下に相当することから、マッサージ可否あるいはマッサージ内容は「腕および脚以外の部位についてはマッサージ可能」と判定される。
【００２６】
なお、図３はあくまで判定テーブルの一例であって、合計点数区分や、マッサージ可否あるいはマッサージ内容は、これに限定されるものではなく、他にも適切な設定であればよい。さらに、施療部位として頭、首、肩、腕、背中、腰、脚の７箇所を設けたが、これについても限定されるものではなく、他にも施療の可能な部位を設けてもよい。
【００２７】
図４の（ａ）〜（ｈ）は、実際の走行ケースにおいて運転状況評価部１３が図２の運転状況評価テーブルに基づき各評価項目毎に評価を行った結果である。
【００２８】
図４の（ａ）は、走行ケースが「昔一度走ったことのある交通量の多い一般道路を走行中、Ｒ小カーブが出現し減速を行い時速４０ｋｍとなった場合」である。
【００２９】
図４の（ｂ）は、走行ケースが「小雨の降る夜に時速９０ｋｍで慣れた高速道路を走行している場合」である。
【００３０】
図４の（ｃ）は、走行ケースが「雨の中時速４０ｋｍで慣れたやや細い交通量の少ない一般道路を走行している場合」である。
【００３１】
図４の（ｄ）は、走行ケースが「時速１００ｋｍで初めて走る交通量の多い高速道路を走行している場合」である。
【００３２】
図４の（ｅ）は、走行ケースが「時速４０ｋｍで慣れた一般道路を走行中、交差点（信号青）が接近してきた場合」である。
【００３３】
例えば、図４の（ａ）の場合、減速を行い時速４０ｋｍとなったことから、「車速パルス」が「一定」に相当し１点、「サイドブレーキ情報」が「ＯＦＦ」に相当し１点、「速度」が「時速４０ｋｍ以下」に相当し１点、「ギア情報」が「変動なし」に相当し１点、「ブレーキ情報」が「出力一定」に相当し１点、「アクセル情報」が「出力変動」に相当し２点と評価される。また、Ｒ小カーブであることから「道路形状」が「Ｒ小」に相当し４点、一般道路であることから「道路種別」が「一般道路」に相当し１０点、昔一度走ったことがあることから「走行履歴」が「過去１履歴あり」に相当し４点、交通量が多いことから「交通量」が「多」に相当し４点とそれぞれ評価され、全ての評価点を合計すると２９点となる。
【００３４】
同様に図４の（ｂ）〜（ｅ）も評価すると、いずれも合計評価点は２９点となり、すなわち判定部１４では「背中および腰の部位のみについてはマッサージ可能」と判定される走行ケース例であることがわかる。
【００３５】
図４の（ｆ）は、走行ケースが「時速５０ｋｍで慣れた一般道路を走行している場合」である。
【００３６】
図４の（ｇ）は、走行ケースが「時速９０ｋｍでつい先日一度走った高速道路を走行している場合」である。
【００３７】
上記図４の（ａ）の時と同様、運転状況評価部１３で図４の（ｆ）および（ｇ）を評価すると、いずれも合計点は１９点となり、すなわち判定部１４では「腕および脚以外の部位についてはマッサージ可能」と判定される走行ケースであることがわかる。
【００３８】
図４の（ｈ）は、「車両停車中の場合」である。
【００３９】
同じく上記図４の（ａ）の時と同様、運転状況評価部１３でこの走行ケースを評価すると、合計点は０点となり、すなわち判定部１４では「全ての部位についてマッサージ可能」と判定されることになる。
【００４０】
ちなみに、図４の（ａ）〜（ｅ）の走行ケースに対して、他の運転要素（例えば交差点接近など）が何か一つでも加われば、たちまち運転状況評価部１３で評価された各項目毎の評価点数の合計点は３０点を越え、判定部１４ではそれまでの「背中および腰の部位のみについてはマッサージ可能」との判定から「全ての部位についてマッサージ不可能」と判定が変わることになる。
【００４１】
また、図４の（ｆ）〜（ｇ）の走行ケースに対して、他の運転要素（たとえば交差点接近など）が何か一つでも加われば、たちまち運転状況評価部１３で評価された各項目毎の評価点数の合計点は２０点を越え、判定部１４ではそれまでの「腕および脚以外の部位についてはマッサージ可能」との判定から「背中および腰の部位のみについてはマッサージ可能」と判定が変わることになる。
【００４２】
さらに、図４の（ｈ）の車両停車中に対して、サイドブレーキを下ろすなど走行開始動作が何か一つでも加われば、たちまち運転状況評価部１３で評価された各項目毎の評価点数の合計点は１点を越え、判定部１４ではそれまでの「全ての部位に対してマッサージ可能」との判定から「腕および脚以外の部位についてはマッサージ可能」と判定が変わることになる。
【００４３】
一方、運転者は操作部１６によってマッサージ開始や終了、強弱、あるいは自動設定の場合の条件などを入力する。制御部１５は、判定部１４で判定された結果と、操作部１６により入力されたマッサージ指示内容に応じて、施療部１７の動作を制御し、運転者に対してマッサージを実施する。
【００４４】
以上のように、本発明の実施の形態１における車載用マッサージ装置によれば、走行中であっても運転状況に応じた適切なマッサージを行うことが可能となる。
【００４５】
なお、施療部１７は各施療部位毎に格納および排出可能な構成とし、制御部１５から施療指示があった施療部位については施療可能な位置に排出され、指示のなかった施療部位については格納されるような構成としてもよい。また、判定部１４の判定結果に応じ、各部位毎に動作開始もしくは停止を制御するように構成したが、運転状況に応じて各部位毎に強弱を制御するような構成としても良い。
【００４６】
なお、ナビゲーションシステムから入手する情報としては、他に例えば「トンネル」属性を利用して、トンネル出入り口付近での運転負荷に対応したマッサージ制御を実施することも可能である。
【００４７】
また生体データとして「心拍数(ＲＲＩ、Ｒ−Ｒ−Ｉｎｔｅｒｖａｌ)」「サーモセンサによる人体温度分布」「カメラによる瞳孔まばたき測定」などを用いた緊張度・リラックス度・眠気・疲労度などを判定することも可能である。
（実施の形態２）
以下、本発明の実施の形態２における車載用マッサージ装置において、図面を参照しながら説明する。
【００４８】
図５は、本発明の実施の形態２における車載用マッサージ装置のシステム構成を表わすブロック図である。なお、実施の形態１と同様の構成を有するものについては、同一符号を付しその説明を省略する。
【００４９】
図５において、実施の形態１と相違する点は、連続運転時間を計測する運転時間計測部１８を設けた点である。
【００５０】
本実施の形態２において、制御部１５は、運転時間計測部１８で測定された連続運転時間も考慮に入れ、施療部１７の動作を制御する。
【００５１】
具体的には、例えば操作部１６で運転者が「２時間以上経過しないとマッサージ開始しない」旨を設定したとする。この時、制御部１５は、運転時間計測部１８で測定された連続運転時間が２時間を越えなければ、たとえ判定部１４でマッサージ可能の判定がされたとしても、全ての施療部位に対してマッサージしないよう制御する。
【００５２】
連続運転時間の計測については、例えば車両のエンジンスタート時点から計測開始し、エンジン停止時点でリセットする方法がある。また、シートに感圧センサを設け、運転者の乗降を検知し、一定時間以上降りていたと検知された場合に連続運転時間をリセットする方法も考えられる。
【００５３】
この構成により、真にマッサージの必要な長時間運転時のみ施療を行うことができ、それ以外の例えばすぐ近所に出かける時などの不要なマッサージを実施しないようにすることができ、より実用性の高い車載用マッサージ装置を実現することが可能である。
【産業上の利用可能性】
【００５４】
本発明の車載用マッサージ装置は、走行中であっても運転状況に応じた適切なマッサージを行うことができるという効果を有し、実用的な車載用マッサージ装置として有用である。
【図面の簡単な説明】
【００５５】
【図１】本発明の実施の形態１における車載用マッサージ装置のブロック図
【図２】本発明の実施の形態１における運転状況評価テーブルを示す説明図
【図３】本発明の実施の形態１における判定テーブルを示す説明図
【図４】本発明の実施の形態１における実際の走行ケースにおける評価結果テーブルを示す説明図
【図５】本発明の実施の形態２における車載用マッサージ装置のブロック図
【図６】従来の車載用マッサージ装置のブロック図
【符号の説明】
【００５６】
１    車載用マッサージ装置
１１    情報源
１２    条件設定部
１３    運転状況評価部
１４    判定部
１５    制御部
１６    操作部
１７    施療部
１８    運転時間継続部
５１    車両停止検出部
５２    制御部
５３    操作部
５４    施療部
【図１】
2006102036.tif 000003
【図２】
2006102036.tif 000004
【図３】
2006102036.tif 000005
【図４】
2006102036.tif 000006
【図５】
2006102036.tif 000007
【図６】
2006102036.tif 000008